(57)【要約】【課題】常にキッチンのキャビネットを使用できるようにし、且つ必要なときは天板の載置面を拡張することのできる出し入れ自在な棚板を備えたリフトアップ式対面キャビネットを提供する。【解決手段】この発明の対面キャビネット１は、天板３を備えたキャビネット本体１Ａが、リビング側等の一方側の空間領域と、キッチン側等の他方側の空間領域とを区画する位置に配置されている。そして、天板３に対して移動自在な棚板２Ａ，２Ｂ，２Ｃを設けて成り、該棚板２Ａ，２Ｂ，２Ｃは天板３のリビング側等の一方側の空間領域寄りの第一の停止位置からキッチン側等の他方側の空間領域へ向けて且つ天板３上面よりも高い位置の第二の停止位置まで移動できるようになされており、また常に水平姿勢を維持している。これにより、必要なときに天板３の使用面積を棚板２Ａ，２Ｂ，２Ｃで拡大することができる。【選択図】  図１
2006061674.tif 000002
【特許請求の範囲】
【請求項１】
天板と、第一の停止位置から該第一の停止位置よりも上方の第二の停止位置まで移動可能に該天板に支持され且つ該天板よりも面積の小さい棚板と、前記棚板を第一の停止位置から第二の停止位置まで移動させる移動機構とを備えたキッチンカウンターであって、少なくとも第一の停止位置と第二の停止位置では棚板が水平姿勢を維持していることを特徴とするキッチンカウンター。
【請求項２】
前記棚板は、第一の停止位置と第二の停止位置との間を移動する際も常に水平姿勢を維持していることを特徴とする請求項１に記載のキッチンカウンター。
【請求項３】
前記棚板は、第一の停止位置で天板上面に対向して該天板に載置され、棚板と天板とで段差が形成されることを特徴とする請求項２に記載のキッチンカウンター。
【請求項４】
前記棚板は、第一の停止位置で天板上面と棚板上面とが面一になることを特徴とする請求項２に記載のキッチンカウンター。
【請求項５】
天板の上面にシンク又は加熱調理器が設けられ、前記第一の停止位置は、前記シンク又は加熱調理器よりも後方に位置し、第二の停止位置は第一の停止位置よりも前方に位置することを特徴とする請求項１乃至４のいずれか一つに記載のキッチンカウンター。
【請求項６】
前記キッチンカウンターは、リビング側等の一方側の空間領域と、キッチン側等の他方側の空間領域とを区画する位置に配置される対面カウンターであることを特徴とする請求項１乃至５のいずれか一つに記載のキッチンカウンター。
【請求項７】
前記天板の下方にはキャビネットが設けられていることを特徴とする請求項１乃至６のいずれか一つに記載のキッチンカウンター。
【請求項８】
前記天板に収納凹部が設けられ、前記棚板が第一の停止位置に位置したときには前記収納凹部が前記棚板によって覆蓋され、棚板が第二の停止位置に位置したときには前記収納凹部が解放されることを特徴とする請求項１乃至６のいずれか一つに記載のキッチンカウンター。
【請求項９】
前記天板及び前記キャビネットに収納凹部が設けられ、前記棚板が第一の停止位置に位置したときには前記収納凹部が前記棚板によって覆蓋され、棚板が第二の停止位置に位置したときには前記収納凹部が解放されることを特徴とする請求項７に記載のキッチンカウンター。
【請求項１０】
前記棚板の裏面側に収納部を形成したことを特徴とする請求項１乃至９のいずれか一つに記載のキッチンカウンター。
【請求項１１】
前記棚板に給湯水源から供給された湯水を吐水する吐水口を設け、棚板を第二の停止位置に位置させたときに、吐水口からシンクへ吐水可能としたことを特徴とする請求項１乃至９のいずれか一つに記載のキッチンカウンター。
【請求項１２】
前記棚板に吸気口を設けたことを特徴とする請求項１乃至９のいずれか一つに記載のキッチンカウンター。
【請求項１３】
前記棚板にブラインドを設け、棚板が第一の停止位置へ位置したときに、棚板と天板との間の空間を前記ブラインドが覆い隠すようにしたことを特徴とする請求項１乃至９のいずれか一つに記載のキッチンカウンター。
【請求項１４】
複数の棚板を天板の長手方向に沿って並列させたことを特徴とする請求項１乃至９のいずれか一つに記載のキッチンカウンター。
【請求項１５】
前記棚板の上面に凹部又は貫通孔を設けたことを特徴とする請求項１乃至１４のいずれか一つに記載のキッチンカウンター。
【請求項１６】
前記凹部又は貫通孔に着脱自在に嵌挿できる係合突起を有し、該係合突起を前記凹部に嵌挿することにより前記棚板の上面に載置可能としたキッチン用収納具を備えたことを特徴とする請求項１５記載のキッチンカウンター。
【請求項１７】
前記棚板は、その上面及び側面の各々に凹部を設け、これら両凹部を連通させて握ることのできる棒状部を形成したことを特徴とする請求項１乃至１４のいずれか一つに記載のキッチンカウンター。
【発明の詳細な説明】
【技術分野】
【０００１】
本発明は、リフトアップ式の棚板を第一の停止位置と第二の停止位置との間で移動できるようにし、必要に応じてキッチンカウンターの天板の載置領域を拡張できるようにした技術に関するものである。
【背景技術】
【０００２】
最近の一般住宅においては、天板（カウンター）を備えたキャビネット本体を、リビング側等の一方側の空間領域と、キッチン側等の他方側の空間領域とを区画する位置に配置し、リビング側とキッチン側との両空間から使用できるようにした対面方式のものが用いられることがある。また天板（カウンター）に脚を取り付けただけの簡単なタイプのカウンターもある。このような対面方式を含めたキッチンで用いられるカウンターでは、キッチン側で調理をしていくと、その進行途中において準備した材料の種類が次第に多くなり、やがて天板上に新しく準備する材料の置き場所が不足することがある。
【０００３】
このような載置領域の問題点を解決する技術として特許文献１及び２に示すような技術がある。特許文献１に記載された技術は、キッチンの天板に補助天板を設けるようにした技術である。補助天板は、リビング側の天板に回動自在に取り付けられ、起立（垂直）状態と水平状態の二つの姿勢を取り得るようになされており、起立状態ではリビング側から天板上の調理用材料が見えないようにし、水平状態では天板に連続してその載置面の領域を拡大するようにしている。またこの特許文献１の技術では、補助天板を門型に形成し、キャビネット本体の左右側面に門型の脚部をスライド自在に設置し、門型の補助天板が天板上の手前側から奥側との間で移動自在としている。
【０００４】
また特許文献２に記載された技術は、キッチンの天板の上方を覆い隠すことのできる蓋体をリフトアップ自在に設け、オープン状態では蓋体がリビング側の空間領域へ張り出して補助天板として利用できるようにしている。
【特許文献１】特開２００４−４９５６５号公報
【特許文献２】実開平２−１４１２２４号公報
【発明の開示】
【発明が解決しようとする課題】
【０００５】
ところが、特許文献１の技術では、天板が常に水平状態を維持するものではなく、起立状態のときには目隠し板として機能するものの、調理用材料の載置板としては機能せず、材料の置き場所に困ることがあった。また移動自在な門型の補助天板では、門型の構成が常に天板上に有り、載置面の拡張は実現できるものの、調理等で使用しないときでも常に門型の状態で存在し、見栄えが悪くなるという欠点があった。
一方、特許文献２に示す技術では、蓋体が天板を覆い隠している状態では、キッチンキャビネットのシンクや水栓及びレンジ等を使用できないという問題があった。
【０００６】
本発明は従来の前記課題に鑑みてこれを改良除去したものであって、常にキッチンのキャビネット等を使用できるようにし、且つ必要なときは天板の載置面を拡張することのできる出し入れ自在な棚板を備えたキッチンカウンターを提供せんとするものである。
【課題を解決するための手段】
【０００７】
而して、前記課題を解決するために本発明が採用した請求項１の手段は、天板と、第一の停止位置から該第一の停止位置よりも上方の第二の停止位置まで移動可能に該天板に支持され且つ該天板よりも面積の小さい棚板と、前記棚板を第一の停止位置から第二の停止位置まで移動させる移動機構とを備えたキッチンカウンターであって、少なくとも第一の停止位置と第二の停止位置では棚板が水平姿勢を維持していることを特徴とするキッチンカウンターである。
【０００８】
本発明が採用した請求項２の手段は、前記棚板は、第一の停止位置と第二の停止位置との間を移動する際も常に水平姿勢を維持していることを特徴とする請求項１に記載のキッチンカウンターである。
【０００９】
本発明が採用した請求項３の手段は、前記棚板は、第一の停止位置で天板上面に対向して該天板に載置され、棚板と天板とで段差が形成されることを特徴とする請求項２に記載のキッチンカウンターである。
【００１０】
本発明が採用した請求項４の手段は、前記棚板は、第一の停止位置で天板上面と棚板上面とが面一になることを特徴とする請求項２に記載のキッチンカウンターである。
【００１１】
本発明が採用した請求項５の手段は、天板の上面にシンク又は加熱調理器が設けられ、前記第一の停止位置は、前記シンク又は加熱調理器よりも後方に位置し、第二の停止位置は第一の停止位置よりも前方に位置することを特徴とする請求項１乃至４のいずれか一つに記載のキッチンカウンターである。
【００１２】
本発明が採用した請求項６の手段は、前記キッチンカウンターは、リビング側等の一方側の空間領域と、キッチン側等の他方側の空間領域とを区画する位置に配置される対面カウンターであることを特徴とする請求項１乃至５のいずれか一つに記載のキッチンカウンターである。
【００１３】
本発明が採用した請求項７の手段は、前記天板の下方にはキャビネットが設けられていることを特徴とする請求項１〜６のいずれか一つに記載のキッチンカウンターである。
【００１４】
本発明が採用した請求項８の手段は、前記天板に収納凹部が設けられ、前記棚板が第一の停止位置に位置したときには前記収納凹部が前記棚板によって覆蓋され、棚板が第二の停止位置に位置したときには前記収納凹部が解放されることを特徴とする請求項１乃至６のいずれか一つに記載のキッチンカウンターである。
【００１５】
本発明が採用した請求項９の手段は、前記天板及び前記キャビネットに収納凹部が設けられ、前記棚板が第一の停止位置に位置したときには前記収納凹部が前記棚板によって覆蓋され、棚板が第二の停止位置に位置したときには前記収納凹部が解放されることを特徴とする請求項７に記載のキッチンカウンターである。
【００１６】
本発明が採用した請求項１０の手段は、前記棚板の裏面側に収納部を形成したことを特徴とする請求項１乃至９のいずれか一つに記載のキッチンカウンターである。
【００１７】
本発明が採用した請求項１１の手段は、前記棚板に給湯水源から供給された湯水を吐水する吐水口を設け、棚板を第二の停止位置に位置させたときに、吐水口からシンクへ吐水可能としたことを特徴とする請求項１乃至９のいずれか一つに記載のキッチンカウンターである。
【００１８】
本発明が採用した請求項１２の手段は、前記棚板に吸気口を設けたことを特徴とする請求項１乃至９のいずれか一つに記載のキッチンカウンターである。
【００１９】
本発明が採用した請求項１３の手段は、前記棚板にブラインドを設け、棚板が第一の停止位置へ位置したときに、棚板と天板との間の空間を前記ブラインドが覆い隠すようにしたことを特徴とする請求項１乃至９のいずれか一つに記載のキッチンカウンターである。  
【００２０】
本発明が採用した請求項１４の手段は、複数の棚板を天板の長手方向に沿って並列させたことを特徴とする請求項１乃至９に記載のキッチンカウンターである。
【００２１】
本発明が採用した請求項１５の手段は、前記棚板の上面に凹部又は貫通孔を設けたことを特徴とする請求項１乃至１４のいずれか一つに記載のキッチンカウンターである。
【００２２】
本発明が採用した請求項１６の手段は、前記凹部又は貫通孔に着脱自在に嵌挿できる係合突起を有し、該係合突起を前記凹部に嵌挿することにより前記棚板の上面に載置可能としたキッチン用収納具を備えたことを特徴とする請求項１５記載のキッチンカウンターである。
【００２３】
本発明が採用した請求項１７の手段は、前記棚板は、その上面及び側面の各々に凹部を設け、これら両凹部を連通させて握ることのできる棒状部を形成したことを特徴とする請求項１乃至１４のいずれか一つに記載のキッチンカウンターである。
【発明の効果】
【００２４】
請求項１の発明にあっては、天板の他に、移動可能な棚板を設けたので、通常は第一の停止位置に棚板を位置させ、調理時には棚板を第二の停止位置へ移動させて、調理材料や調理器具、食器等を載置するための補助的な載置部として利用することが可能であり、調理時の物品の載置面積を増やすことが可能である。
【００２５】
請求項２の発明にあっては、棚板は、常に水平を保っているので、棚板上に物品を載置したまま、棚板を第一の停止位置から第二の停止位置へ移動可能であり、棚板を移動させる際に、物品を一旦片づける必要がない。
【００２６】
請求項３の発明にあっては、第一の停止位置では棚板は、天板上に載置されているので、棚板が邪魔になることはなく、通常のキッチンカウンターとして使用することが可能であり、意匠上もスッキリさせることが可能である。また棚板と天板とで段差が形成されているので、当該段差が水返しとなり、棚板上は濡れないものを載置するドライエリア、天板上は濡れたもの若しくは濡れても構わないものを載置するウエットエリアというように、作業エリアを機能的に分割することが可能となる。
【００２７】
請求項４の発明にあっては、第一の停止位置で天板上面と棚板上面とが面一になるので、見栄えが良く、また天板上面と棚板上面を一続きの載置面として広く使うことが可能である。
【００２８】
請求項５の発明にあっては、棚板を使用しないときは、シンク又は調理機器よりも後方の第一の停止位置に棚板を移動させて、スッキリさせることができ、また調理等の作業をする際には、棚板を第二の停止位置（前方）に移動させることにより、棚板の位置が、作業者が仕込みをした材料や食器等を仮置きするのにちょうど良い距離となり、極めて便利である。
【００２９】
請求項６の発明にあっては、キッチンカウンターが対面カウンターであるので、第一の停止位置に棚板がある場合には、リビング側等の一方側から該棚板を使用することができ、キッチン側等の他方側から使用する際には、第二の停止位置に棚板を移動させることにより、棚板が使いやすい位置となる。
【００３０】
請求項７の発明にあっては、天板下方にキャビネットを備えたキッチンカウンターであっても、上記同様の作用効果を有する。
【００３１】
請求項８及び請求項９の発明にあっては、通常時は棚板を第一の停止位置に位置させて、収納凹部内の収納物を見栄え良く収納することができ、調理時には、棚板を第二の停止位置に位置させて、収納凹部内の収納物を自由に取り出すことができる。
【００３２】
請求項１０の発明にあっては、棚板の裏面側に収納部を形成したので、棚板を第二の停止位置へ位置させた状態で収納部へ調理器具などを出し入れさせることができ、第一の停止位置へ位置させたときには、収納部を見栄え良く隠すことが可能となる。
【００３３】
請求項１１の発明にあっては、棚板自体に吐水口を設けている。吐水口と給水源とはフレキシブル管などで接続すればよい。これにより、キッチンキャビネットのシンクの近くに棚板を移動させ（第二の停止位置）、その位置で棚板の吐水口から給水を行って洗い物等をすることができる。そのため、通常の状態では水栓をキャビネット本体の天板の上から無くすことが可能であり、極めてシンプル且つ見栄えのよいものとなる。
【００３４】
請求項１２の発明にあっては、棚板に吸気口を設けているので、棚板を第二の停止位置へ移動させて吸気口をレンジの近くへ位置させることにより、前記吸気口から調理に際し発生した煙や匂いなどを排気ダクトへ排出することができる。
【００３５】
請求項１３の発明にあっては、棚板にブラインドを設けており、棚板を第二の停止位置へ移動させた時にブラインドが棚板と天板との間の空間を遮蔽するようにしている。そのため、リビング側からキッチンの天板上に並べられた調理用材料や調理の状況等が直接見えることはない。調理作業者はリビング側の人たちの目を気にすることなく調理することができる。
【００３６】
請求項１４の発明にあっては、天板の長手方向に沿って複数の棚板を並列させたので、必要な棚板のみ第二の停止位置へ移動させることができ、また一つ一つの棚板の幅が適度な大きさとなり、手動で移動させる際にも、楽に移動させることができる。
【００３７】
請求項１５の発明にあっては、凹部又は貫通孔にまな板等のキッチン用具を着脱自在に挿着できるようにしたり、凹部又は貫通孔にキッチン用収納具を着脱自在に挿着できるようにして棚板の機能を向上させることができる。
【００３８】
請求項１６の発明にあっては、棚板の凹部又は貫通孔に係合突起を嵌挿して棚板の上面に載置したキッチン用具を、棚板から脱落させることなく、第一の停止位置から第二の停止位置まで移動する棚板と一体に移動させることができる。
【００３９】
請求項１７の発明にあっては、上面の凹部にまな板等のキッチン用具を着脱自在に挿着できるようにしたり、上面の凹部にキッチン用収納具を着脱自在に挿着できるようにしたり、また、棒状部を布巾掛け等に利用できるようにして棚板の機能を向上させることができる。また、棒状部を把手として用いることで棚板を第一の停止位置から第二の停止位置へ移動操作し易くできる。
【発明を実施するための最良の形態】
【００４０】
以下に、本発明の構成を図面に示す発明の実施の形態に基づいて説明すると次の通りである。図１〜図４は本発明の第１の実施の形態に係る対面キャビネット１を示すものであり、図１は棚板２Ａ，２Ｂ，２Ｃの全てが第一の停止位置にあるときのキャビネット本体１Ａの全体斜視図である。図２の図（Ａ）は同側面図、図（Ｂ）はリフトアップ時の同側面図である。図３は中央の棚板２Ｂをリフトアップした状態の天板３を示す斜視図である。図４は各棚板２Ａ〜２Ｃに設けた付属器具を示すものであり、図（Ａ）は棚板２Ａの下面側に設けた水栓４を示すキャビネット本体１Ａの側面図、図（Ｂ）は棚板２Ｂの下面側に設けた収納ボックス５を示す棚板２Ｂの側面図、図（Ｃ）は棚板２Ｃの下面側に設けた吸引ボックス６を示す棚板２Ｃの斜視図である。なお、本明細書において、「前方」とは対面キャビネット１の引出１１やグリル１０が設けられたキッチン側（手前側）をいい、「後方」とは対面キャビネット１のリビング側（背面側）をいう。
【００４１】
図１に示す如く、第１の実施の形態の対面キャビネット１は、天板３の上面にシンク７と、作業スペース８と、レンジ９とが設けられており、レンジ９の下方の手前側正面にはグリル１０が設けられ、その他の手前側正面には多数の引出１１が設けられている。この対面キャビネット１は、手前側がキッチン側の空間領域に面し、背面側がリビング側の空間領域に面している。つまり、キャビネット１は、リビングとキッチンの両空間領域を仕切る位置に配設されている。また前記キャビネット本体１Ａの上面側に配設された天板３の奥側には、シンク７と作業スペース８とレンジ９とに対応して棚板２Ａ〜２Ｃが設けられている。このように天板３の長手方向（矢符Ａ方向）に沿って複数の棚板２Ａ〜２Ｃを並列させており、必要な棚板２Ａ〜２Ｃのみ第二の停止位置へ移動させることができるばかりでなく、一つ一つの棚板２Ａ〜２Ｃの幅寸法（矢符Ａ方向に沿った長さ寸法）が適度な大きさとなり、手動で移動させる際にも、楽に移動させることが可能である。
【００４２】
しかも、これらの棚板２Ａ〜２Ｃは、通常の状態では、棚板２Ａ〜２Ｃと天板３とで段差Ｂが形成されているので、当該段差が水返しとなり、棚板２Ａ〜２Ｃ上は濡れないもの若しくは濡れては困るものを載置するドライエリア、天板３上は濡れたもの若しくは濡れても構わないものを載置するウエットエリアというように、作業エリアを機能的に分割することが可能である。更に、棚板２Ａ〜２Ｃは、回動自在に枢支された二本のアーム等からなる平行リンク機構１２及び必要に応じて付加されるシリンダー式のエアーダンパー機構を介して図２の図（Ａ）に示す第一の停止位置（リビング側寄りの位置）から、同図の図（Ｂ）に示す第二の停止位置（キッチン側寄りの位置）まで、平行な姿勢を維持したまま移動することができるようになっている。
【００４３】
また、図３に示す如く、天板３及びキャビネット本体１Ａの左右方向中央部の作業スペース８の奥側には、収納凹部１３が穿設されており、通常は、第一の停止位置にある棚板２Ｂによって覆蓋（図１に示す状態）されている。この収納凹部１３は、食器や調理用材料、食器洗浄用具類等を保管しておくためのものである。更に、各棚板２Ａ〜２Ｃの下面側には、図４の図（Ａ）〜図（Ｃ）に示すように、付属する機器類が設置されている。シンク７に対応する位置の棚板２Ａの下面側には、図（Ａ）に示すように、吐水口４Ａを備えた水栓４が取り付けられている。該水栓４は、給水源及び給湯源とはフレキシブル管１４を介して接続されている。この棚板２Ｂの第一の停止位置の天板３及びキャビネット本体１Ａには、前記水栓４及び管１４を収納するための収納凹部２６が設けられている。なお、水栓４と給水源及び給湯源とを接続する管１４は、回転バルブを利用して剛体の管を利用することにより、棚板２Ａをリフトアップさせるリンク機構を兼用させることも可能である。
【００４４】
また作業スペース８に対応する位置の棚板２Ｂの下面側には、同図の図（Ｂ）に示すように、支点１５を介して回動自在に支持された収納ボックス５が設けられている。収納ボックス５は、棚板２Ｂの高さ寸法内に納まるようになっており、第一の停止位置（図１に示す位置）では外部から見えないようになっている。
【００４５】
レンジ９に対応する位置の棚板２Ｃの下面側には、同図の図（Ｃ）に示すように、吸気口１６を備えた吸引ボックス６が取り付けられており、フレキシブルな排煙管１７及び排気ファン（図示せず）を通じて排気ダクトへ連通接続されている。なお、この棚板２Ｃの第一の停止位置の天板３及びキャビネット本体１Ａには、前記吸引ボックス６及び排煙管１７を収納するための凹部（図示せず）が形成されている。
【００４６】
次に、このように構成された対面キャビネット１の使用態様について説明する。この第１の実施の形態では、図１に示すように、シンク７の近傍に水栓が設けられておらず、全体が平面で構成されており、極めてシンプルで且つ見栄えも良好である。このような状態から、シンク７内で食器や調理用材料を洗ったりするときには、天板奥側の棚板２Ａをリフトアップして図４の図（Ａ）で示すように第二の停止位置へ移動させて起立させ、棚板２Ａの下面側に設けた水栓４の吐水口４Ａをシンク７内に臨ませるようにすればよい。そして、この状態で水栓４のハンドルを操作して吐水状態をコントロールし、食器や調理用材料等を洗えばよい。洗った食器や調理用材料等は、一時的に棚板２Ａに載置して水切りを行う等のことも可能である。洗う作業が終了した後は、棚板２Ａを第一の停止位置まで後退させればよい。
【００４７】
また天板３の中央の作業スペース８で調理作業をするに際しては、図１に示す状態のまま（棚板２Ｂが第一の停止位置にある状態）で作業を行うか、又は図３に示す真ん中の棚板２Ｂをリフトアップして第二の停止位置まで移動させ、収納凹部１３をオープンにして作業を行う。収納部１３には、食器や調理用材料、食器洗浄用具類等が保管されているので、必要に応じて該凹部１３から食器又は調理用材料などを取り出し、作業スペース８で所定の調理作業を行えばよい。通常時は、棚板２Ｂを下方の第一の停止位置に位置させて、収納凹部１３内の収納物を見栄え良く収納することができ、調理時には、棚板２Ｂを上方の第二の停止位置に位置させて、収納凹部１３内の収納物を自由に取り出すことが可能である。
【００４８】
更に、レンジ９で煮炊きものを行うとき等には、鍋から湯気や匂いが立ち上ったり、肉や魚など食材から煙が立ち上ったりすることがある。通常は、レンジ９の上方にレンジフードが設けられ、換気扇を廻して排気するようにしているが、この実施の形態のように、リビングとキッチンとの境界部分にキャビネット１が配置されるタイプのものでは、室内の中央まで排気ダクトを建設することになり、室内空間領域を狭くして圧迫感を与えたり、排気ダクトの存在そのものが邪魔になり、実際には希にしか設置されていないのが現状である。それで、この実施の形態にあっては、レンジ９に対応する棚板２Ｃをリフトアップして第二の停止位置へ移動させ（図４の図（Ｃ）参照）、吸引ボックス６の吸気口１６をレンジ９側に面するように位置させている。吸気口１６は、排煙ダクト１７及び排気ファン（図示せず）を介して排気ダクトへ連通接続されており、鍋やレンジから立ち上る匂いや煙を直ちに吸引して室外へ排気することができる。従って、匂いや煙が室内へ広がることがなく、環境上も好ましいものである。
【００４９】
図５は本発明の第２の実施の形態に係るものキャビネット１８の側面図である。同図に示す如く、この実施の形態では、例えば棚板２Ｂの後端寄りの下面側にロールに巻き取られたカーテンなどのブラインド１９を設置している。棚板２Ｂがリフトアップした第二の停止位置に移動したときは、ロール状カーテンのブラインド１９が引き出されて天板３の上面付近まで延伸され、リビング側から天板３の作業スペース８で作業している内容（調理用材料や調理の状況等）が直接見えないようにしている。これにより、調理作業者はリビング側の人たちの目を気にすることなく調理することができる。
【００５０】
図６は本発明の第３の実施の形態に係るキャビネット２０の側面図である。この実施の形態では、例えば棚板２Ｂの前端側にヒンジ２１を介して木質、金属、合成樹脂などで成形された板状のブラインド２２の上端側を回動自在に枢支している。そして、天板３上の固定フレーム２３に設けたレール溝２４に、ブラインド２２の下端側をローラ２５を介してスライド自在に嵌合させている。これにより、ブラインド２２は、棚板２Ｂがリフトアップして第二の停止位置まで移動したときに棚板２Ｂと天板３の上面との間の空間領域を遮蔽するようになり、第２の実施の形態の場合と同じ作用効果を奏している。
【００５１】
図７の図（Ａ）〜図（Ｄ）は本発明の変形例を示すキャビネット１の側面図である。同図の図（Ａ）に示すものは、棚板２Ａ〜２Ｃが垂直方向に平行移動するようにした場合のものであり、図（Ｂ）に示すものは、棚板２Ａ〜２Ｃが第一の停止位置にあるとき、天板３の上面と棚板２Ａ〜２Ｃの上面とが面一になるようにしたものである。また図（Ｃ）に示すものは、棚板２Ａ〜２Ｃが垂直方向に平行移動するようにし、且つリフトアップしない待機位置の状態で天板３の上面と棚板２Ａ〜２Ｃの上面とが面一になるようにしたものである。更に、図（Ｄ）に示すものは、棚板２Ａ〜２Ｃが第一の停止位置にあるとき、天板３のリビング側に向けて該天板３の上面と面一になるように張り出して設置されており、リフトアップ時には天板３の上方へ平行移動するようになされている。
【００５２】
図８乃至図１０は本発明のキャビネット１に備えた棚板２Ａ〜２Ｃの変形例を示すものであって、図８はキャビネット１の全体斜視図であり、図９（Ａ）は棚板２Ａ〜２Ｃを上方の第二の停止位置へリフトアップした状態の側面断面図、図（Ｂ）は棚板２Ａ〜２Ｃを下方の第一の停止位置へ降下した状態の側面断面図である。図１０は棚板２Ａ〜２Ｃの貫通孔２８にキッチン用収納具３３を挿着すると共に貫通孔２８を蓋３２で覆った状態を示すものであって、図（Ａ）は棚板２Ａ〜２Ｃの平面図、図（Ｂ）は棚板２Ａ〜２Ｃの正面図、図（Ｃ）は図（Ａ）のｃ−ｃ線で断面したものであって、上方の第二の停止位置へリフトアップした状態を実線で示し、下方の第一の停止位置へ降下した状態を二点鎖線で示す側面図である。
【００５３】
本例のキャビネット１は、棚板２Ａ〜２Ｃの各々に貫通孔２８を設けてある。この貫通孔２８は、棚板２Ａ〜２Ｃの上面に開口する貫通孔２８ａと、棚板２Ａ〜２Ｃの側面及び下面に開口する貫通孔２８ｂとからなり、これら両貫通孔２８ａ，２８ｂを連通させて棒状部２９を棚板２Ａ〜２Ｃの手前側縁の上方隅部に形成してある。棒状部２９は、貫通孔２８を利用して握ることができる形状となっており、棚板２Ａ〜２Ｃを上方の第二の停止位置と下方の第一の停止位置との間で移動させるときの把手としての機能を有する。棒状部２９は、布巾掛け等に利用することもある。棒状部２９は、横断面を図面の如く四角形状とする以外に、円又は楕円等の形状とすることもある。
【００５４】
本例のキャビネット１は、棚板２Ａ〜２Ｃに設けた貫通孔２８の上下へ貫通する部分へ着脱自在に挿着するキッチン用収納具３３と、貫通孔２８の上面を着脱自在に覆蓋する蓋３２を備えている。キッチン用収納具３３は、上面が開口した収納凹部３３ａと、上部の開口外縁部に設けたフランジ３３ｂとを備え、貫通孔２８の開口周縁にフランジ３３ｂを係止した状態で使用され、収納凹部３３ａにまな板，包丁，計量スプーン，レシピ等を着脱自在に収納保持できるようにしてある。キッチン用収納具３３に水切り用の通水孔を設けたときには、前記収納凹部１３（２６）は、底部に排水路２７を設けて、キッチン用収納具３３から滴下した水を外部へ排出できるようにするとよい。前記蓋３２は、各貫通孔２８の長手方向の一部を覆うことができる大きさのもの、又は各貫通孔２８の長手方向の全域を覆うことができる大きさのものが予め準備され、棚板２Ａ〜２Ｃに置いた載置物の脱落を防止したり、使用しない貫通孔２８を覆って見栄え良くするとき等に用いられる。  
【００５５】
本例のキャビネット１は、図９（Ｂ）に示す如く、下方の第一の停止位置に位置する棚板２Ａ〜２Ｃの貫通孔２８へキッチン用具３１（例えば、まな板等の板状物）を差し込んで保持させることもある。保持されてキッチン用具３１から滴下した水滴は、前記収納凹部１３（２６）で受け止められて、排水路２７から外部へ排出される。
【００５６】
図１１は本発明のキャビネット１に備えた棚板２Ａ〜２Ｃの異なる変形例を示すものであって、図（Ａ）は棚板２Ａ〜２Ｃの平面図、図（Ｂ）は棚板２Ａ〜２Ｃの正面図、図（Ｃ）は上方の第二の停止位置へリフトアップした状態を実線で示し、下方の第一の停止位置へ降下した状態を二点鎖線で示す側面断面図である。
【００５７】
本例のキャビネット１は、棚板２Ａ〜２Ｃの各々に設けた貫通孔２８を、上面に開口する貫通孔２８ａと、棚板２Ａ〜２Ｃの側面に開口する貫通孔２８ｃとで形成して、これら両貫通孔２８ａ，２８ｃを連通させて棒状部２９を棚板２Ａ〜２Ｃの手前側縁の上方隅部に形成してある。貫通孔２８は、底面のある貫通孔２８ａへ差し込んだキッチン用具３１（例えば、まな板等の板状物）やレシピ等の下端側を保持して、起立した状態を維持できるようにしてある。棒状部２９は、貫通孔２８を利用して握ることができる形状となっており、棚板２Ａ〜２Ｃを上方の第二の停止位置と下方の第一の停止位置との間で移動させるときの把手としての機能を有する。
【００５８】
図１２及び図１３は本発明のキャビネット１に備えた棚板２Ａ〜２Ｃの更に異なる変形例を示すものであって、図１２（Ａ）は棚板２Ａ〜２Ｃの平面図、図（Ｂ）は図（Ａ）のｂ−ｂ線で断面したものであって、棚板２Ａ〜２Ｃを上方の第二の停止位置へリフトアップした状態を実線で示し、下方の第一の停止位置へ降下した状態を二点鎖線で示す側面断面図である。図１３は、図１２（Ａ）のｃ−ｃ線で断面したものであって、棚板２Ａ〜２Ｃを上方の第二の停止位置へリフトアップした状態を実線で示し、下方の第一の停止位置へ降下した状態を二点鎖線で示す側面断面図である。
【００５９】
本例のキャビネット１は、棚板２Ａ〜２Ｃに前記貫通孔２８を設ける以外に、棚板２Ａ〜２Ｃの上面に、前後幅寸法が貫通孔２８より大きな貫通孔３４と、直径が貫通孔２８の前後幅寸法より小さな二個以上の凹部３５と、大きな貫通孔３４に着脱自在に嵌挿できるキッチン用キッチン用収納具３６と、小径の凹部３５，３５…に着脱自在に装着できるキッチン用キッチン用収納具３７（図１３参照）とを備えている。キッチン用収納具３６は、上面が開口した収納凹部３６ａと、上部の開口外縁部に設けたフランジ３６ｂとを備え、貫通孔３４の開口周縁にフランジ３６ｂを係止した状態で使用され、収納凹部３６ａに食材等を収納できるようにしてある。キッチン用収納具３３は、濡れた収納物のために水切り用の通水孔を設け、収納凹部１３（２６）へ排水できるようにすることもある。キッチン用キッチン用収納具３７は、上面が開口した収納凹部３７ａと、底面から突設した複数の係合突起３７ｂとを備えた収納具となっており、棚板２Ａ〜２Ｃの小径凹部３５，３５…へ係合突起３７ｂ，３７ｂ…を嵌挿した状態で棚板上面に載置され、棚板から脱落させることなく、第一の停止位置から第二の停止位置まで移動する棚板２Ａ〜２Ｃと一体に移動させることができる。キッチン用キッチン用収納具３７は、皿等の比較的大きなものを収納できるようになっている。
【産業上の利用可能性】
【００６０】
ところで、本願発明は上述の実施の形態に限定されるものではなく、適宜の変更が可能である。例えば、天板（カウンター）３は、その下方側にキャビネットが設置されるタイプのもの以外に、脚のみが取り付けられるテーブルタイプのものであっても適用可能である。また対面式のカウンター以外に、背面側を壁面へ密着させるタイプのカウンターであってもよい。
【図面の簡単な説明】
【００６１】
【図１】本発明の第１の実施の形態に係るものであり、棚板の全てが第一の停止位置にあるときのキャビネット本体の全体斜視図である。
【図２】本発明の第１の実施の形態に係るものであり、図（Ａ）はキャビネット本体の側面図、図（Ｂ）はリフトアップ時の同側面図である。
【図３】本発明の第１の実施の形態に係るものであり、中央の棚板をリフトアップしたときの天板を示す斜視図である。
【図４】本発明の第１の実施の形態に係る各棚板の付属器具を示すものであり、図（Ａ）は棚板の下面側に設けた水栓を示すキャビネット本体の側面図、図（Ｂ）は棚板の下面側に設けた収納ボックスを示す棚板の側面図、図（Ｃ）は棚板の下面側に設けた吸引ボックスを示す棚板の斜視図である。
【図５】本発明の第２の実施の形態に係るものであり、棚板をリフトアップしたときのキャビネット本体の一部側面図である。
【図６】本発明の第３の実施の形態に係るものであり、棚板をリフトアップしたときのキャビネット本体の一部側面図である。
【図７】本発明の変形例を示すものであり、図（Ａ）は棚板が天板上で垂直に上下動する場合のキャビネット本体の側面図、図（Ｂ）は棚板が第一の停止位置で天板と面一になる場合のキャビネット本体の側面図、図（Ｃ）は棚板が天板上で垂直に上下動し且つ第一の停止位置で天板と面一になる場合のキャビネット本体の側面図、図（Ｄ）は棚板が第一の停止位置で天板と面一でリビング側へ張り出して設けられる場合のキャビネット本体の側面図である。
【図８】本発明のキャビネットに備えた棚板の変形例を示すものであって、キャビネットの全体斜視図である。
【図９】前記変形例を示すものであって、図（Ａ）は棚板を上方の第二の停止位置へリフトアップした状態の側面断面図、図（Ｂ）は棚板を下方の第一の停止位置へ降下した状態の側面断面図である。
【図１０】前記変形例を示すものであって、棚板の貫通孔にキッチン用収納具を挿着すると共に貫通孔を蓋で覆った状態を示すものであって、図（Ａ）は棚板の平面図、図（Ｂ）は棚板の正面図、図（Ｃ）は図（Ａ）のｃ−ｃ線で断面したものであって、上方の第二の停止位置へリフトアップした状態を実線で示し、下方の第一の停止位置へ降下した状態を二点鎖線で示す側面図である。
【図１１】本発明のキャビネットに備えた棚板の異なる変形例を示すものであって、図（Ａ）は棚板の平面図、図（Ｂ）は棚板の正面図、図（Ｃ）は上方の第二の停止位置へリフトアップした状態を実線で示し、下方の第一の停止位置へ降下した状態を二点鎖線で示す側面断面図である。
【図１２】本発明のキャビネットに備えた棚板の更に異なる変形例を示すものであって、図（Ａ）は棚板の平面図、図（Ｂ）は図（Ａ）のｂ−ｂ線で断面したものであって、棚板を上方の第二の停止位置へリフトアップした状態を実線で示し、下方の第一の停止位置へ降下した状態を二点鎖線で示す側面断面図である。
【図１３】図１２（Ａ）のｃ−ｃ線で断面したものであって、棚板を上方の第二の停止位置へリフトアップした状態を実線で示し、下方の第一の停止位置へ降下した状態を二点鎖線で示す側面断面図である。
【符号の説明】
【００６２】
１…対面キャビネット、１Ａ…キャビネット本体、２Ａ，２Ｂ，２Ｃ…棚板、３…天板  、４…水栓、４Ａ…吐水口、５…収納ボックス、６…吸引ボックス、７…シンク、８…  作業スペース、９…レンジ、１０…グリル、１１…引出、１２…平行リンク機構、１３  …収納凹部、１９…ブラインド、２８（３４）…貫通孔，３５…凹部、３１…キッチン  用具、３３（３６，３７）…キッチン用収納具
【図１】
2006061674.tif 000003
【図２】
2006061674.tif 000004
【図３】
2006061674.tif 000005
【図４】
2006061674.tif 000006
【図５】
2006061674.tif 000007
【図６】
2006061674.tif 000008
【図７】
2006061674.tif 000009
【図８】
2006061674.tif 000010
【図９】
2006061674.tif 000011
【図１０】
2006061674.tif 000012
【図１１】
2006061674.tif 000013
【図１２】
2006061674.tif 000014
【図１３】
2006061674.tif 000015